(57)【特許請求の範囲】
【請求項１】
エレベータ又はエスカレータの保守点検の際に使用する操作装置であり、機器を操作する複数の操作釦および当該操作釦の第１ロックを解除する解除釦を含み、前記操作釦および前記解除釦をそれぞれ左右の手で同時押しすることにより前記機器を操作可能に構成されたエレベータ又はエスカレータの携帯用操作装置であって、
装置本体の傾きを検出する傾斜センサと、
前記傾斜センサが予め定められた範囲の傾きを検知した場合に、前記操作釦の第２ロックを解除し前記機器の操作を可能とする操作解除部と、
を備え、
複数の前記操作釦および前記解除釦が前記装置本体の長手方向に沿って配置され、
複数の前記操作釦および前記解除釦と対向する前面パネルと前記前面パネルの幅方向の両端から前記装置本体の方へ延出する側面パネルとを含む透明カバーを備え、
前記側面パネルのうち、一方の側面パネルの前記操作釦に近接する位置と、他方の側面パネルの前記解除釦に近接する位置とに開口部がそれぞれ形成されていることを特徴とする、エレベータ又はエスカレータの携帯用操作装置。
【請求項２】
エレベータ又はエスカレータの保守点検の際に使用する操作装置であり、機器を操作する複数の操作釦および当該操作釦の第１ロックを解除する解除釦を含み、前記操作釦および前記解除釦を同時押しすることにより前記機器を操作可能に構成されたエレベータ又はエスカレータの携帯用操作装置であって、
前記操作釦及び前記解除釦は、片手で同時に押されることが可能であり、
装置本体の傾きを検出する傾斜センサと、
前記傾斜センサが予め定められた範囲の傾きを検知した場合に、前記操作釦の第２ロックを解除し前記機器の操作を可能とする操作解除部と、
を備え、
前記操作解除部が、前記傾斜センサからの情報で前記機器の操作の可否のみを判断することを特徴とする、エレベータ又はエスカレータの携帯用操作装置。
【請求項３】
請求項２に記載のエレベータ又はエスカレータの携帯用操作装置において、
前記操作解除部は、前記傾斜センサからの信号で水平方向に対する前記装置本体の傾きが１０°〜８０°の角度となっていると認識すると、前記第２ロックを解除することを特徴とする、エレベータ又はエスカレータの携帯用操作装置。
【発明の詳細な説明】
【技術分野】
【０００１】
本発明は、エレベータ又はエスカレータの操作装置、特に、保守点検の際に機器を操作するために使用する携帯用操作装置に関する。
【背景技術】
【０００２】
エレベータ又はエスカレーにおける保守点検作業時には、携帯用操作装置を例えば、機械室や乗りかごの天井に設置された機器に接続して操作を行う。
【０００３】
特許文献１には、誤操作を防止するために機器を操作する操作釦の他に、当該操作釦のロックを解除する解除釦が設けられ、両釦を左右の手で同時押しすることにより機器の確実な操作を可能とした携帯用操作装置が開示されている。
【先行技術文献】
【特許文献】
【０００４】
【特許文献１】特開２０１０-１７９９８６号公報
【発明の概要】
【発明が解決しようとする課題】
【０００５】
しかしながら、上記特許文献１に開示された携帯用操作装置では、例えば、機器等の上面に携帯用操作装置を置いた状態で、操作釦と解除釦とを片手で同時押しすることができるため、片手が携帯用操作装置に触れた際等に機器を誤操作させるおそれがある。
【０００６】
本発明の目的は、保守員の片手操作を抑止することにより、より確実に誤操作を防止することができるエレベータ又はエスカレータの携帯用操作装置を提供することにある。
【課題を解決するための手段】
【０００７】
本発明に係るエレベータ又はエスカレータの携帯用操作装置は、エレベータ又はエスカレータの保守点検の際に使用する操作装置であり、機器を操作する複数の操作釦および操作釦の第１ロックを解除する解除釦を含み、操作釦および解除釦をそれぞれ左右の手で同時押しすることにより機器を操作可能に構成されたエレベータ又はエスカレータの携帯用操作装置であって、装置本体の傾きを検出する傾斜センサと、傾斜センサが予め定められた範囲の傾きを検知した場合に、操作釦の第２ロックを解除し機器の操作を可能とする操作解除部と、を備え、複数の操作釦および解除釦が装置本体の長手方向に沿って配置され、複数の操作釦および解除釦と対向する前面パネルと前面パネルの幅方向の両端から装置本体の方へ延出する側面パネルとを含む透明カバーを備え、側面パネルのうち、一方の側面パネルの操作釦に近接する位置と、他方の側面パネルの解除釦に近接する位置とに開口部がそれぞれ形成されていることを特徴とするものである。
【０００８】
また、本発明に係るエレベータ又はエスカレータの携帯用操作装置は、エレベータ又はエスカレータの保守点検の際に使用する操作装置であり、機器を操作する複数の操作釦および操作釦の第１ロックを解除する解除釦を含み、操作釦および解除釦を同時押しすることにより機器を操作可能に構成されたエレベータ又はエスカレータの携帯用操作装置であって、操作釦及び解除釦は、片手で同時に押されることが可能であり、装置本体の傾きを検出する傾斜センサと、傾斜センサが予め定められた範囲の傾きを検知した場合に、操作釦の第２ロックを解除し機器の操作を可能とする操作解除部と、を備え、操作解除部が、傾斜センサからの情報で機器の操作の可否のみを判断することを特徴とするものである。また、本発明に係るエレベータ又はエスカレータの携帯用操作装置において、操作解除部は、傾斜センサからの信号で水平方向に対する装置本体の傾きが１０°〜８０°の角度となっていると認識すると、第２ロックを解除することが好ましい。
【発明の効果】
【０００９】
本発明に係るエレベータ又はエスカレータの携帯用操作装置によれば、予め定められている範囲の角度だけ装置本体が傾いている場合に、操作釦の第２ロックを解除して機器を操作できる。このため、携帯用操作装置が上記範囲に含まれる角度だけ傾いていなければ機器を操作することができない。この結果、片手で携帯用操作装置が操作されることを抑止し、片手操作による機器の誤操作をより確実に防止することができる。
【図面の簡単な説明】
【００１０】
【図１】本発明の実施形態である携帯用操作装置が適用されるエレベータの全体構成を示す図である。
【図２】図１に含まれる携帯用操作装置の正面図である。
【図３】図２に示す携帯用操作装置の構成を示すブロック図である。
【図４】図２に示す携帯用操作装置の使用状態を示す図である。
【図５】図２に示す携帯用操作装置の押し釦操作の制御フローを示すフローチャートである。
【図６】本発明の携帯用操作装置の変形例を示す図である。
【発明を実施するための形態】
【００１１】
以下に、本発明の実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１２】
図１は、本発明に係る実施の形態であるエレベータの携帯用操作装置が適用されるエレベータ１０の全体構成を示す図である。エレベータ１０は、巻上機１２を備えている。
【００１３】
巻上機１２は、図示した実施形態では、昇降路Ｔの直上の機械室Ｍに設置されており、主ロープ１３を介して乗りかご１４およびカウンタ錘（不図示）を相対的に昇降させる。
【００１４】
乗りかご１４は、乗客や荷物を載せて昇降する機能を有し、各階の乗場１５‐１，１５−２，１５−３に設置された乗場扉１６‐１，１６−２，１６−３と対向するようにかご扉１７が設けられている。乗りかご１４は、行先階登録釦等が設けられた操作パネル１９をかご内に備えている。
【００１５】
エレベータ制御盤２０は、上述した機械室Ｍに設置されており、巻上機１２や乗りかご１４の運転を統括的に制御している。
【００１６】
かご上制御盤２２は、乗りかご１４の天井に配置されている。このかご上制御盤２２は、保守点検時に乗りかご１４を昇降させる機能を有し、後述する携帯用操作装置を接続する接続口２２ａが設けられている。
【００１７】
図２〜図４を用いて、携帯用操作装置３０の構成について説明する。図２は、携帯用操作装置３０の正面図である。図３は、携帯用操作装置３０の構成を示すブロック図である。図４は、携帯用操作装置３０の使用状態図である。
【００１８】
携帯用操作装置３０は、エレベータ１０の保守点検の際に乗りかご１４を昇降させる機能を備え、図２に示すように、接続ケーブル３１を有し、この接続ケーブル３１には、ジョイント３１ａが先端に取り付けられており、このジョイント３１ａを介して図１に示すかご上制御盤２２の接続口２２ａに接続して使用することができる。
【００１９】
携帯用操作装置３０は、図２に示すように、縦長箱状の装置本体３２内に操作釦３３ａ，３３ｂおよび解除釦３４を含む。操作釦３３ａは、例えば、乗りかご１４等の機器を上昇させるための押し釦であり、同様に、操作釦３３ｂは、下降させるための押し釦である。解除釦３４は操作釦３３ａ，３３ｂの誤操作を防止するための押し釦であり、操作釦３３ａ，３３ｂのいずれか一方と解除釦３４とが左右両手でそれぞれ同時に押されなければ操作ができないようにしている。
【００２０】
しかしながら、装置本体３２を平坦面に置いて、片手で解除釦３４と操作釦３３ａ，３３ｂのいずれか一方とを同時に押して操作するおそれがあり、このときは解除釦３４の意味がなくなる。このような場合に操作を禁止するために、本発明では装置本体３２を適正角度範囲に傾けることを解除条件としている。
【００２１】
装置本体３２は、図３に示すように、装置本体３２の傾きを検出する傾斜センサ３５と、解除釦３４の第１ロックに加え、傾斜センサ３５の傾斜角度で判定する第２ロックを備え、両ロック解除で初めて操作を可能とする操作解除部３６とを備えている。傾斜センサ３５は、半導体チップにより構成されており、装置本体３２の傾きを検出する機能を有している。操作解除部３６は、第１ロック及び第２ロックが共に解除された場合に、操作釦３３ａ，３３ｂの操作に基づく操作信号をかご上制御盤２２に送信して乗りかご１４を昇降させる。図４に示すように、第１ロックは解除釦３４が操作釦３３ａ，３３ｂのいずれかと左右両手で同時押しされることにより解除され、第２ロックは傾斜センサ３５の検出する装置本体３２の傾きの大きさαが予め設定した範囲内である場合に解除される。この角度は、左右の手で装置本体３２を保持した状態で操作する場合に装置本体３２が水平方向に対してなす傾斜角度となるように設定すればよい。一例として、図４に示すように、各釦３３ａ，３３ｂ，３４を上側にして装置本体３２を手前側へ傾けた状態において、装置本体３２の水平方向に対する傾きが１０°〜８０°の角度となるように設定することが好ましく、２０°〜７０°とすることがより好適である。これにより、装置本体３２を左右の手で保持して正しい傾斜角度を保ち、解除釦３４及び操作釦３３ａ，３３ｂのいずれかを同時押しした場合にだけロックが解除される。
【００２２】
続いて、図５を用いて操作解除部３６の操作制御について説明する。図５は、操作解除部３６の押し釦操作の制御フローを示すフローチャートである。
【００２３】
操作解除部３６は、操作釦３３ａ，３３ｂのいずれか一方が押されると（Ｓ１）、解除釦３４が押されているか否かを判断し、押されている場合には第１ロックを解除する（Ｓ２，Ｓ３）。そして、装置本体３２の傾きの大きさαが予め設定した範囲内であるか否かを判断し、上記αの大きさが当該範囲内の大きさであれば第２ロックを解除して操作信号をかご上制御盤２２に送信する（Ｓ４〜Ｓ６）。なお、Ｓ２及びＳ４は、逆の順番で処理してもよいし、同時に処理してもよい。
【００２４】
上記構成により、操作解除部３６は、第１ロックおよび第２ロックが共に解除された場合にだけ操作釦３３ａ，３３ｂによる乗りかご１４等の機器の操作ができるようにしている。
【００２５】
本発明に係る携帯用操作装置３０では、解除釦３４と操作釦３３ａ，３３ｂのいずれか一方とを同時押しすると第１ロックが解除され、さらに装置本体３２の傾きが予め設定された範囲内である場合に第２ロックが解除されて乗りかご１４の操作が可能となる。
【００２６】
このため、携帯用操作装置３０を、例えば、かご上制御盤２２の上面等に置いた状態で、片手で解除釦３４及び操作釦３３ａ，３３ｂのいずれか一方を同時に押したとしても第１ロックは解除されるものの第２ロックが解除されないため乗りかご１４を操作することはできない。
【００２７】
この結果、携帯用操作装置３０によれば、携帯用操作装置３０が片手で操作されることを抑止し、片手操作による乗りかご１４の誤操作をより確実に防止することができる。
【００２８】
上記実施形態では、携帯用操作装置３０をエレベータ１０の保守点検に用いる例を挙げて説明したが、これに限定されるものではない。例えば、エスカレータの機械室に設置されている制御盤に携帯用操作装置３０を接続して用いてもよい。この場合には、操作釦３３ａ，３３ｂによって、乗りかご１４を昇降させる代わりに、エスカレータの踏段を上り方向または下り方向に移動させるように設定すればよい。この場合には、エスカレータの保守点検時に携帯用操作装置３０が片手で操作されることを抑止し、片手操作による踏段の誤操作をより確実に防止することができる。
【００２９】
また、上記実施形態では、かご上制御盤２２に携帯用操作装置３０を接続する例を挙げているが、例えば、エレベータ制御盤２０に携帯用操作装置３０を接続して用いるようにしてもよい。
【００３０】
図６は、携帯用操作装置３０の変形例を示す図である。この変形例では、上述した携帯用操作装置３０は透明カバー４０をさらに備えている。透明カバー４０は、装置本体３２の長手方向に沿って配置された解除釦３４及び操作釦３３ａ，３３ｂを覆う前面パネル４０ａと、前面パネル４０ａの幅方向の左右両端から装置本体３２の方へ延出する左右の側面パネル４０ｂ，４０ｃとを含む。透明カバー４０は、透明もしくは半透明の樹脂素材によって形成され、接着剤や両面テープによって装置本体３２との間に指を挿入可能な隙間を介して前面パネル４０ａが装置本体３２と対向するように取り付けられている。左側面パネル４０ｂには操作釦３３ａ，３３ｂに近接する位置に開口部４０ｄが形成され、右側面パネル４０ｃには解除釦３４に近接する位置に開口部４０ｅが形成されている。また、透明カバー４０の内部には、操作釦３３ａ，３３ｂと解除釦３４との間に仕切り板４２が設けられている。この透明カバー４０を装置本体３２に取り付けることにより、操作釦３３ａ，３３ｂを押すためには左側面パネル４０ｂの開口部４０ｄから指を挿通しなければならず、解除釦３４を押すためには右側面パネル４０ｃの開口部４０ｅから指を挿通しなければならない。このため、解除釦３４及び操作釦３３ａ，３３ｂのいずれか一方を片手で同時押しすることがより難しくなり、片手操作による誤操作をより確実に防止することができる。
【００３１】
なお、本発明に係るエレベータまたはエスカレータの携帯用操作装置によれば、上述した実施形態およびその変形例の構成に限定されるものではなく、本願の特許請求の範囲に記載された事項およびその均等の範囲内で種々の改良や変更が可能であることはいうまでもない。
【符号の説明】
【００３２】
１０  エレベータ、２２  かご上制御盤、３０  携帯用操作装置、３２  装置本体、３３ａ，３３ｂ  操作釦、３４  解除釦、３５  傾斜センサ、３６  操作解除部、Ｔ  昇降路。
【図１】
0006525796.tif 000002
【図２】
0006525796.tif 000003
【図３】
0006525796.tif 000004
【図４】
0006525796.tif 000005
【図５】
0006525796.tif 000006
【図６】
0006525796.tif 000007